(57)【特許請求の範囲】
【請求項１】
複数の通信回線にそれぞれ接続された複数の通信制御手段と、ポーリング送信処理のポーリング対象となる送信ファイルを蓄積するためのメモリ手段と、ポーリング受信要求に対して該当する送信ファイルを送信するポーリング処理手段とを有するファクシミリ装置において、
着信したポーリング受信要求に係る送信ファイルとポーリング送信実行中の送信ファイルとが同じか否かを判断する送信ファイル同一判断手段と、
着信したポーリング受信要求に係る送信ファイルとポーリング送信実行中の送信ファイルとが同じ送信ファイルである場合に、多重アクセスを行うように多重アクセス指令を発信する多重アクセス指令手段と、
発信された前記多重アクセス指令を受信して受信した多重アクセス指令に基づき、ジョブ制御を行って前記メモリ手段に蓄積されている送信ファイルに多重アクセスする多重アクセス処理手段と、を備え、
前記ポーリング処理手段は、前記多重アクセス処理手段が多重アクセスする前記送信ファイルを、前記ポーリング受信要求元に対して送信するものであることを特徴とするファクシミリ装置。
【請求項２】
さらに、前記多重アクセス指令手段による多重アクセス指令を行うか否かを切り換えにより選択し得る多重アクセス切換手段を備えたことを特徴とする請求項１に記載のファクシミリ装置。
【発明の詳細な説明】
【０００１】
【発明の属する技術分野】
この発明は、ファクシミリ装置に関し、より詳細には、複数回線からの多重アクセスを可能とするポーリング処理機能を備えたファクシミリ装置に関する。
【０００２】
【従来の技術】
ファクシミリ装置におけるポーリング処理とは、発呼者側（電話をかける側）が、被発呼者側（電話を受ける側）からファクシミリ信号を自動的に受信することをいう。図４に、ポーリング送信時のＧ３プロトコルを示す。まず、ポーリング受信ジョブにより指定された宛先（被発呼側）に、自分（発呼側）から発呼しにいき、途中で受信側となり、被発呼側から指定のファイルの画情報（ファクシミリデータ）を受信する。すなわち、発呼側は途中から受信処理の手順に移ることになる。
【０００３】
一般に、ポーリング送信処理のポーリング対象となる送信ファイルには、任意の４桁の番号からなるポーリングＩＤが与えられており、発呼側が、このポーリングＩＤを指定することにより送信ファイルを選ぶようになっている。第三者がファイルの画情報を取得するのを防止するためである。
【０００４】
つぎに、図５および図６を参照し、従来のファクシミリ装置におけるポーリング送信処理について説明する。なお、ファクシミリ装置は、Ｇ３回線＃１〜＃３の３つのＧ３回線を有しているものとする。また、送信ファイルＴ１〜Ｔ３が、それぞれポーリングＩＤを与えられて、所定のメモリに蓄積されているものとする。
【０００５】
まず、Ｇ３回線＃１から着信が発生した場合、プロトコルを進める過程で、それがポーリング受信処理の要求であるか否かを判別する。Ｇ３回線＃１からの着信がポーリング受信要求である場合には、発呼側でポーリングＩＤが指定されているはずだから、係るポーリングＩＤを持つ送信ファイルを選択して、発呼側にポーリング送信を開始する。例えばポーリングＩＤとして「１２３４」が指定された場合には、この「１２３４」のＩＤを持つ送信ファイルＴ１が選ばれて、ポーリング送信が開始される。
【０００６】
ここで、上記送信ファイルＴ１のポーリング送信処理が実行されている間に、例えばＧ３回線＃２から、送信ファイルＴ１のポーリング受信要求が発生する場合がある。この場合、ポーリングＩＤ「１２３４」を指定しても、そのポーリングＩＤを持つ送信ファイルＴ１は現在ポーリング送信処理を実行中であるから、係るポーリング受信要求によってはポーリング送信処理を行うことができない。従って、被発呼側では、そのようなポーリング受信要求を拒否し、回線を遮断することとしている。
【０００７】
例えば、「本社」の送信ファイルＴ１に対し、「東京研究所」が「中央研究所」に先行してポーリング受信要求をした場合であって、「中央研究所」からのポーリング受信要求の際に未だ「東京研究所」に対してポーリング送信処理が実行中であるとき、「中央研究所」からのポーリング受信要求は拒否され、回線が遮断される。従って、「中央研究所」からのポーリング送信要求は、時間をおいてから改めて行うことになる。
【０００８】
【発明が解決しようとする課題】
しかしながら、上記従来のファクシミリ装置では、前述したように同一の送信ファイルＴ１に対して複数のポーリング受信要求があった場合に、先行する一のポーリング受信要求についてのポーリング送信処理が実行中であるときは、他のポーリング受信要求は拒否されてしまう。このため、発呼側では再びポーリング受信要求を行う必要があり、また、時間も取られてしまうことから、ファクシミリ作業の効率が悪くなるという問題点があった。また、被発呼側では、ポーリング受信処理をひとつひとつ処理するため、処理に時間がかかるし、その間は他の処理ができなくなるので、ファクシミリ装置の効率的な利用が妨げられるという問題点があった。
【０００９】
この発明は上記に鑑みてなされたものであって、ポーリング送信処理を実行中の送信ファイルに対してポーリング受信要求がなされた場合でも、発呼側および被発呼側においてファクシミリ装置を有効利用できるようにすることを目的とする。
【００１０】
【課題を解決するための手段】
上記の目的を達成するために、請求項１に係るファクシミリ装置は、複数の通信回線にそれぞれ接続された複数の通信制御手段と、ポーリング送信処理のポーリング対象となる送信ファイルを蓄積するためのメモリ手段と、ポーリング受信要求に対して該当する送信ファイルを送信するポーリング処理手段とを有するファクシミリ装置において、着信したポーリング受信要求に係る送信ファイルとポーリング送信実行中の送信ファイルとが同じか否かを判断する送信ファイル同一判断手段と、着信したポーリング受信要求に係る送信ファイルとポーリング送信実行中の送信ファイルとが同じ送信ファイルである場合に、多重アクセスを行うように多重アクセス指令を発信する多重アクセス指令手段と、発信された前記多重アクセス指令を受信して受信した多重アクセス指令に基づき、ジョブ制御を行って前記メモリ手段に蓄積されている送信ファイルに多重アクセスする多重アクセス処理手段と、を備え、前記ポーリング処理手段は、前記多重アクセス処理手段が多重アクセスする前記送信ファイルを、前記ポーリング受信要求元に対して送信するものである。
【００１１】
また、請求項２に係るファクシミリ装置は、上記ファクシミリ装置において、さらに、前記多重アクセス指令手段による多重アクセス指令を行うか否かを切り換えにより選択し得る多重アクセス切換手段を備えたものである。
【００１２】
【発明の実施の形態】
以下、この発明のファクシミリ装置の実施の形態について図面を参照して詳細に説明する。
【００１３】
図１は、この発明のファクシミリ装置の制御系を示すブロック構成図であり、ファクシミリ送信する送信ファイル（画像情報データ）およびファクシミリ受信した受信ファイル（画像情報データ）を蓄積するメモリ１０１ａを管理する画像情報管理部（以下、ＳＡＦ管理部と記載する）１０１と、送信すべき相手先の電話番号および同報送信における送信宛先の電話番号を管理する宛先管理部１０２と、ファクシミリ送信およびファクシミリ受信の各ジョブの制御を行うジョブ制御部１０３と、後述するポーリング対象の送信ファイルに対して多重アクセスを行うようにジョブ制御部１０３に多重アクセス指令を出す多重アクセス指令手段としてのポーリング送信多重アクセス指令部１０４と、ファクシミリ装置の各種操作を行うためのオペレーションパネル（図示せず）の制御を行うオペレーション制御部１０５と、送信するための原稿読取制御および受信した原稿の記録制御を行う記録／読取制御部１０６と、それぞれ１つの通信回線（図示せず）に対応し、変復調回路（モデム）等を含んだ装置からなり、ファクシミリ送受信データの変調／復調および通信制御を行う複数の通信制御部１０７と、ＳＡＦ管理部１０１のメモリ１０１ａに蓄積されている送信ファイルを多重アクセスする多重アクセス処理手段としてのポーリング送信多重アクセス処理部１０８と、ジョブ制御部１０３の制御によってポーリング送信処理を実行中の送信ファイルと他の回線から着信が発生した送信ファイルとを比較して、同一の送信ファイルであるか否かの判断をする送信ファイル同一判断手段としてのポーリング対象判断部１０９と、上記各部を統括的に制御する主制御部１１０と、通常のポーリング送信処理とマルチポーリング送信処理とを切り換える多重アクセス切換手段としてのマルチポーリングＳＷ切換部１１１と、から構成される。
【００１４】
なお、ジョブ制御部１０３は、ＳＡＦ管理部１０１が管理するメモリ１０１ａ内に蓄積された送信原稿である送信ファイルの送信起動や、複数の送信ファイル（送信ジョブ）が存在する場合の送信順序管理等の制御、着信があった場合の受信動作の開始・受信ジョブ（受信ファイル）の作成・受信ファイルの記録紙への印字起動等の受信ジョブの制御を行う。さらに、ジョブ制御部１０３は、各々のジョブに関連する送信ファイルまたは受信ファイルの情報や、送信すべき相手先の電話番号（送信宛先）の情報を持っている。
【００１５】
図２は、このファクシミリ装置のマルチポーリング送信処理を示すフローチャートである。まず、ステップＳ２０１では、記録／読み取り制御部１０６によって送信原稿を読み取り、ポーリング対象となる送信ファイルを作成する。この送信ファイルの作成は、オペレーション制御部１０５を通して、ユーザがファクシミリ装置の前記オペレーションパネルを操作することにより行う。作成した送信ファイルは、ＳＡＦ管理部１０１が管理するメモリ１０１ａに蓄積される。
【００１６】
ステップＳ２０２では、ポーリング送信ファイルを選ぶためのキーワードとなるポーリングＩＤを、ポーリング送信ファイルに与える。このポーリングＩＤは、ユーザによって選定され、オペレーションパネルからキー入力される。例えばポーリングＩＤとして、送信ファイルＴ１に「１２３４」を、送信ファイルＴ２に「１２３５」を、送信ファイルＴ３に「１２３６」を与える。
【００１７】
ステップＳ２０３では、通信制御部１０７のいずれかの回線（Ｇ３回線＃１〜＃Ｎ）から着信が発生すると、その旨が主制御部１１０を通してジョブ制御部１０３に通知される。ジョブ制御部では、受信ジョブを作成する。
【００１８】
ステップＳ２０４では、ジョブ制御部１０３により、ポーリング受信要求か否かを判別する。ポーリング受信要求である場合は、ＳＡＦ管理部１０１のメモリ１０１ａに蓄積している送信ファイルの中から、指定されたポーリングＩＤを持つ送信ファイルを検索する。例えば、ポーリングＩＤが「１２３４」と指定された場合には、送信ファイルＴ１〜Ｔ３の中から「１２３４」のＩＤを持つ送信ファイルＴ１を検索する（ステップＳ２０５）。
【００１９】
ステップＳ２０６では、ポーリング対象判断部１０９により、前記検索した送信ファイルＴ１がポーリング送信処理を実行中の送信ファイルか否かを判断する。検索した送信ファイルＴ１が実行中の送信ファイルＴ１と同じであるときはステップＳ２０７に進む。一方、検索した送信ファイルと異なる送信ファイルＴ２（またはＴ３）が実行中であれば、ステップＳ２０８およびＳ２０９に進み、通常のポーリング送信処理を行う。
【００２０】
ステップＳ２０７では、検索した送信ファイルＴ１がポーリング送信処理を実行中の送信ファイルＴ１と同じであるため、多重アクセスを行いマルチポーリング送信制御を行うようにする。ポーリング送信多重アクセス指令部１０４からマルチポーリングＳＷ切換制御部１１１に対して、多重アクセスの指令がなされる。マルチポーリングＳＷ切換制御部１１１は、多重アクセスの指令に基づいて、通常のポーリング送信処理かたマルチポーリング送信処理に切り換える。これにより、ポーリング送信多重アクセス処理部１０８による送信ファイルＴ１の多重アクセスが可能となる。続いて、マルチポーリング送信処理を行う（ステップＳ２０８およびＳ２０９）。
【００２１】
具体的には、図３に示すように、「本社」の送信ファイルＴ１に対し、「東京研究所」が「中央研究所」に先行してポーリング受信要求をした場合であって、「中央研究所」からのポーリング受信要求の際に未だ「東京研究所」に対してのポーリング送信処理が実行中であるときであっても、多重アクセスをおこなうことにより「本社」から「東京研究所」および「中央研究所」の両方に対してポーリング送信をすることができる。従来は、いずれか一方、例えば「東京研究所」に対してポーリング送信処理が実行されているときには、「中央研究所」からのポーリング受信要求は拒否されていたが、この発明では、このような事態を防止できるので、「本社」、「東京研究所」および「中央研究所」に設置してあるファクシミリ装置の有効利用が可能になる。
【００２２】
前述したようにこの実施の形態によれば、同一の送信ファイルＴ１に対して複数のポーリング受信要求があった場合であって、先行する一のポーリング受信要求についてのポーリング送信処理が実行中であるときでも、多重アクセスによってマルチポーリング送信処理を行うことができる。このため、発呼側では、ポーリング受信要求が拒否されなくなり、ファクシミリ作業の効率が良くなる。また、被発呼側では、ポーリング受信要求をまとめて処理できるので、ファクシミリ作業を短時間で行え、ファクシミリ装置の効率的な利用を図ることができる。
【００２３】
なお、マルチポーリングＳＷ切換制御部１１１に、ユーザの切り換えによって、通常のポーリング送信処理とマルチポーリング送信処理とを選択できるような機能をもたせてもよい。
【００２４】
【発明の効果】
以上説明したように、この発明のファクシミリ装置（請求項１）は、同一の送信ファイルに複数のポーリング受信要求があった場合に、着信したポーリング受信要求に係る送信ファイルとポーリング送信実行中の送信ファイルとが同じか否かを判断し、着信したポーリング受信要求に係る送信ファイルとポーリング送信実行中の送信ファイルとが同じ送信ファイルである場合に、多重アクセスを行うように多重アクセス指令を発信し、発信された多重アクセス指令を受信して受信した多重アクセス指令に基づいてジョブ制御を行って、メモリ手段に蓄積されている送信ファイルに多重アクセスし、多重アクセスする送信ファイルを、ポーリング受信要求元に対して送信することによって、多重アクセスによりマルチポーリング送信処理を行うようにした。このため、発呼側では、ポーリング受信要求が拒否されなくなるので改めてポーリング受信要求する必要がない等の理由から作業時間が短縮化され、ファクシミリ作業の効率が良くなる。また、被発呼側では、ポーリング受信要求をまとめて処理できるので、ファクシミリ作業を短時間で行え、ファクシミリ装置の効率的な利用を図ることができるようになる。
【００２５】
また、この発明のファクシミリ装置（請求項２）は、多重アクセス指令手段による多重アクセス指令を行うか否かを切り換えにより選択し得る多重アクセス切換手段を備えたため、ユーザーが任意に、多重アクセスでポーリング送信処理を行うか否かを選択することができる。
【図面の簡単な説明】
【図１】この発明のファクシミリ装置の制御系を示すブロック構成図である。
【図２】図１に示したファクシミリ装置のマルチポーリング送信処理を示すフローチャートである。
【図３】この発明のファクシミリ装置におけるマルチポーリング送信処理を示す説明図である。
【図４】一般的なファクシミリ装置におけるポーリング送信処理を示す説明図である。
【図５】従来のファクシミリ装置におけるポーリング送信処理を示す説明図である。
【図６】従来のファクシミリ装置におけるポーリング送信処理を示す説明図である。
【符号の説明】
１０１    ＳＡＦ管理部
１０１ａ    メモリ
１０２    宛先管理部
１０３    ジョブ制御部
１０４    ポーリング送信多重アクセス指令部
１０５    オペレーション制御部
１０６    記録／読取制御部
１０７    通信制御部
１０８    ポーリング送信多重アクセス処理部
１０９    ポーリング対象指定部
１１０    主制御部
１１１    マルチポーリングＳＷ切換部
【図１】
0003655727.tif 000002
【図２】
0003655727.tif 000003
【図３】
0003655727.tif 000004
【図４】
0003655727.tif 000005
【図５】
0003655727.tif 000006
【図６】
0003655727.tif 000007